(57)【要約】【課題】  携帯用かつ任意の標準の手持型電動ドリルに着脱可能な大型電線用ケーブルカッターを提供すること。【解決手段】  電動ドリルに取付けるためのケーブルカッターは、ハウジング、ハウジングに連結されて相対的に移動する第１及び第２の切刃、および、ドリルのチャックに着脱可能で、切刃と動作可能に係合する駆動アセンブリを有する。駆動アセンブリは、駆動軸上のウォーム、主軸上のウォーム歯車及び駆動歯車、および、切刃の１つに形成されたセグメント歯車を含む。ウォーム及びウォーム歯車は、駆動歯車及びセグメント歯車と同様に係合している。主軸はハウジング内で３つの軸受によって支持される。トルク・アームは一端にてハウジングに取付けられ、他端にてドリルのハンドルと係合する。反転可能な安定化ハンドルはユーザが切断操作中にハウジングをしっかりと把持し得るように、ハウジングに取付けられる。【選択図】      図１
2005125486.tif 000002
【特許請求の範囲】
【請求項１】
チャックおよびハンドルを有するタイプの電動ドリルに取付けるように適合されたケーブルカッターであって、
ハウジングと、
少なくとも第１および第２の切刃の１つが該ハウジングに連結され、相対的に移動するように取付けられた第１および第２の切刃と、
該ハウジング内で回転するように取付けられて、該ハウジングから延在して該電動ドリルのチャックに着脱可能な駆動軸を備え、該切刃の少なくとも１つに動作可能に係合して該刃を相対的に移動させる駆動アセンブリと、
一方の端部にて該ハウジングに取付けられ、他方の端部には該ドリルのハンドルと係合するように適合された取付要素を有するトルク・アームと
を備えるケーブルカッター。
【請求項２】
前記駆動アセンブリはさらに、前記駆動軸に取付けられて該駆動軸と共に回転するウォームと、該ウォームに係合し、かつ、前記ハウジング内で回転するように取付けられたウォーム歯車と、該ウォーム歯車と共に移動可能であり、かつ、前記切刃の１つと係合可能な駆動歯車とを備えた請求項１に記載のケーブルカッター。
【請求項３】
前記取付要素が、前記ドリルの前記ハンドルと係合可能なフックからなる請求項１に記載のケーブルカッター。
【請求項４】
前記トルク・アームが前記ハウジングに調整可能に固定されている請求項１に記載のケーブルカッター。
【請求項５】
前記ハウジングに連結可能で、かつ、前記トルク・アームが摺動可能に連結されるトルク・アーム・クランプをさらに備えた請求項４に記載のケーブルカッター。
【請求項６】
前記ハウジングに着脱可能な安定化ハンドルをさらに備える請求項１に記載のケーブルカッター。
【請求項７】
ケーブルカッターハウジングが左側面及び右側面を画定し、前記安定化ハンドルが取外し可能に取付けられることにより、安定化ハンドルが該左側面を越えて、または、該右側面を越えて延長可能に構成されている請求項６に記載のケーブルカッター。
【請求項８】
前記ハウジングに取付けられ、かつ、該ハウジングの横方向に延びてスリーブを貫通する中空のボアを有するスリーブをさらに備え、トルク・アーム・クランプが該中空ボアに嵌合するサイズであり、かつ、該トルク・アームに着脱可能な締結要素を有し、前記安定化ハンドルの一端が該中空ボアに嵌合するサイズであり、かつ、該トルク・アーム・クランプに対して着脱可能である請求項７に記載のケーブルカッター。
【請求項９】
チャックおよびハンドルを有するタイプの電動ドリルに取付けるように適合されたケーブルカッターであって、
第１及び第２の切刃を有し、両切刃に連結されると共に、両切刃を相対的に移動可能に支持するハウジングと、
該ハウジング内で回転するように取付けられ、該ハウジングから延在して該ドリル・チャックに解放可能に連結された駆動軸、該駆動軸と共に回転するように取付けられたウォーム、該ハウジング内で回転するように取付けられた主軸、および該主軸と共に回転するように取付けられ該ウォームと係合状態であるウォーム歯車を備える駆動アセンブリと
を備え、該ウォーム歯車が該切刃の少なくとも１つと動作可能に係合して該刃を相対的に移動させるケーブルカッター。
【請求項１０】
前記ハウジングから延在するトルク・アームをさらに備える請求項９に記載のケーブルカッター。
【請求項１１】
前記ハウジングに解放可能に連結され、かつ、横方向に延びる取外し可能な安定化ハンドルをさらに備える請求項９に記載のケーブルカッター。
【請求項１２】
前記ハウジングの両側に取外し可能に取付けられる安定化ハンドルおよびトルク・アームをさらに備え、該ハンドルおよびトルク・アームのそれぞれが取り外し及び再取付可能であり、よって、該ハウジングの両側において該ハンドル及びトルク・アームの相対位置を逆にすることが可能である請求項９に記載のケーブルカッター。
【請求項１３】
安定化ハンドルと、トルク・アームと、前記ハウジングに取付けられ該ハウジングの横方向に延びてスリーブを貫通する中空ボアを有するスリーブと、該中空ボア内に嵌合するサイズであり該トルク・アームに対して着脱可能である締結要素を有するトルク・アーム・クランプとをさらに備え、該安定ハンドルの一端が該中空ボア内に嵌合するサイズであり、該トルク・アーム・クランプに対して着脱可能である請求項９に記載のケーブルカッター。
【請求項１４】
前記ハウジングが該ハウジングの入口を画定する切取り部を有し、該切取り部を通って前記刃の少なくとも１つが可動であり、該ハウジングがさらに該ハウジングの該入口の該ハウジングの縁部に隣接するブラシからなる請求項９に記載のケーブルカッター。
【請求項１５】
前記駆動軸が前記主軸に対して横方向にある請求項９に記載のケーブルカッター。
【請求項１６】
前記主軸と共に回転するように取付けられた駆動歯車、および、前記切刃の１つに形成され該駆動歯車と係合状態のセグメント歯車をさらに備える請求項９に記載のケーブルカッター。
【請求項１７】
少なくとも３つの軸受が前記主軸を支持し、各軸受が別々の長手方向の位置で該主軸を支持してその回転運動を可能にする請求項９に記載のケーブルカッター。
【請求項１８】
ハウジングと、
該ハウジングに連結され、少なくとも一方が他方に対して移動可能な第１および第２の切刃と、
該ハウジング内で回転するように取付けられた主軸を備え、該切刃の少なくとも一方と動作可能に係合して該切刃を相対的に移動させる駆動アセンブリと、
前記ハウジング内に取付けられ、前記主軸の長さに沿った別々の位置でその主軸をそれぞれ支持する少なくとも３つの軸受と
を備えるケーブルカッター。
【請求項１９】
前記主軸の各端部が第１および第２の軸受によって支持され、該第１および第２の軸受の中間にある第３の軸受がさらに該主軸を支持する請求項１８に記載のケーブルカッター。
【発明の詳細な説明】
【技術分野】
【０００１】
本発明はケーブルカッターに関し、特に回転チャックおよびハンドルを有する標準の手持型電動ドリルに取外し可能に取付けることが可能なドリルを備えたケーブルカッターに関する。
【背景技術】
【０００２】
ケーブルカッターは、高電圧または高電流の適用分野で使用されるタイプの大型電線を切断するために使用されるものである。こうしたケーブルは直径が様々であるが、一般には直径が２．５４ｃｍ（１インチ）以上である。このクラスのケーブルは、通常の手工具を使用して切断するには大きすぎる。ラチェット・ケーブルカッターは周知のものであるが、作動を繰り返して、徐々に切刃がケーブルに通るように押し付ける必要がある。こうした工具は動作が遅く、作動を繰り返す必要があるため、より大きいケーブルに損傷を与える可能性がある。他の従来技術の手工具は、特別のてこ用の細長いハンドルを備えて、より大きい直径のケーブルを切断するものであるが、こうした工具は、大きすぎて扱いにくく持ち歩くのに不便である。そのため、より大型の電線を切断するための電動工具の開発が進められてきた。こうした工具の１つは、特許文献１に示されている。この工具は、工具の切刃を駆動する遊星歯車列を有する。他の電動ケーブルカッターは、特許文献２に開示されており、手持型ドリルによって駆動されるカッターを有するが、複雑なラチェットおよびリンケージ機構を使用するものである。周知のように、ケーブルを切断する切刃を駆動するのに必要な駆動機構を簡単にすることが望ましい。
【０００３】
従来のケーブルカッターの他の欠点には、切断工具に組み込まれた電気モータおよび電気モータ用電源の重量およびかさ高さが含まれる。こうした組込み式モータは、単にケーブルカッターの専用のものであり、その工具のために使用することは可能であるが、他の工具には可能ではない。一方、電気工は大抵標準の手持型電動ドリルを持ち運んでいる。今日、こうしたドリルには依然として電力用コードが見られるが、通常は電池で駆動される。いずれにしても、専用モータおよび電源を備えた工具は、電気工がすでに持っている装置の単に複製である。これは、特定の仕事に必要とされる装置にコスト、重量およびかさ高さを追加することになる。当然、電気工は、毎日持ち運ばなければならない余分な重量を制限することを好む。したがって、不必要なものを追加せずに、電気工の既存の工具と共に作動するケーブルカッターを提供することが望ましい。
【特許文献１】米国特許第５，９８７，７５４号明細書
【特許文献２】米国特許第６，１７８，６４３号明細書
【発明の開示】
【発明が解決しようとする課題】
【０００４】
本発明の目的は、携帯可能で、かつ、任意の標準の手持型電動ドリルに着脱可能な大型電線用ケーブルカッターを提供することにある。
【課題を解決するための手段】
【０００５】
このドリルを備えたケーブルカッターは、ハウジング、およびハウジング上に取付けられて相対的に移動する第１及び第２の切刃を備える。カッターはさらに、ハウジング内で回転するように取付けられ、ハウジングから延在して電動ドリルのチャックに着脱可能な駆動軸を備えた駆動アセンブリを含む。駆動アセンブリは、少なくとも１つの切刃と動作可能に係合して刃を相対的に移動させる。
【０００６】
駆動アセンブリは、単一のウォームおよびウォーム歯車構造を含む。ウォームは、駆動軸に取付けられ、その駆動軸と共に第１の軸線に沿って回転する。ウォ−ム歯車は、第１の軸線に平行の第２の軸線に沿ってウォーム歯車軸上に取付けられる。ウォーム歯車軸は、３つの別々の軸受によって支持される。周知のように、３つの軸受は、ウォーム歯車軸の故障を防ぐために必要である。ウォームはウォーム歯車と係合して、ウォーム歯車およびウォーム歯車軸を回転させる。ウォーム歯車軸は、少なくとも１つの切刃と動作可能に係合して刃の１つを相対的に移動させる駆動歯車を担持する。切刃の少なくとも１つ上に形成されたセグメント歯車は駆動歯車と噛合する。
【０００７】
トルク・アームは、一端でカッターハウジングに摺動可能に取付けられている。トルク・アーム・クランプは、トルク・アームの一端をハウジングに解放可能に固定する。トルク・アームの他方の一端は、ドリルのハンドルの周囲で湾曲するように適合されたフックを有する。トルク・アームは、任意のサイズのドリルに適合するように構成されている。トルク・アームは、回転運動によってカッターに生じるトルクに対して反作用する。換言すれば、トルク・アームは、ハウジングが電動ドリルに対して回転するのを阻止する。トルク・アームは、カッターのドリルからの連結が解除された場合に、不慮に落下することをも防止する。
【０００８】
換言すれば、請求項１の発明は、チャックおよびハンドルを有するタイプの電動ドリルに取付けるように適合されたケーブルカッターであって、ハウジングと、少なくとも第１および第２の切刃の１つが該ハウジングに連結され、相対的に移動するように取付けられた第１および第２の切刃と、該ハウジング内で回転するように取付けられて、該ハウジングから延在して該電動ドリルのチャックに着脱可能な駆動軸を備え、該切刃の少なくとも１つに動作可能に係合して該刃を相対的に移動させる駆動アセンブリと、一方の端部にて該ハウジングに取付けられ、他方の端部には該ドリルのハンドルと係合するように適合された取付要素を有するトルク・アームとを備えるケーブルカッターを要旨とする。
【０００９】
請求項２の発明は請求項１の発明において、前記駆動アセンブリがさらに、前記駆動軸に取付けられて該駆動軸と共に回転するウォームと、該ウォームに係合し、かつ、前記ハウジング内で回転するように取付けられたウォーム歯車と、該ウォーム歯車と共に移動可能であり、かつ、前記切刃の１つと係合可能な駆動歯車とを備えていることを要旨とする。
【００１０】
請求項３の発明は請求項１の発明において、前記取付要素が、前記ドリルの前記ハンドルと係合可能なフックからなることを要旨とする。
請求項４の発明は、請求項１の発明において、前記トルク・アームが前記ハウジングに調整可能に固定されていることを要旨とする。
【００１１】
請求項５の発明は請求項４の発明において、前記ハウジングに連結可能で、かつ、前記トルク・アームが摺動可能に連結されるトルク・アーム・クランプをさらに備えたことを要旨とする。
【００１２】
請求項６の発明は請求項１の発明において、前記ハウジングに着脱可能な安定化ハンドルをさらに備えることを要旨とする。
請求項７の発明は請求項６の発明において、前記ケーブルカッターハウジングが左側面及び右側面を画定し、前記安定化ハンドルが取外し可能に取付けられることにより、安定化ハンドルが該左側面を越えて、または該右側面を越えて延長可能に構成されていることを要旨とする。
【００１３】
請求項８の発明は請求項７の発明において、前記ハウジングに取付けられ、かつ、該ハウジングの横方向に延びるスリーブを備え、そのスリーブを貫通する中空のボアが形成され、トルク・アーム・クランプが該中空ボアに嵌合するサイズであり、かつ、該トルク・アームに着脱可能な締結要素を有し、前記安定化ハンドルの一端が該中空ボアに嵌合するサイズであり、かつ、該トルク・アーム・クランプに対して着脱可能であることを要旨とする。
【００１４】
請求項９の発明は、チャックおよびハンドルを有するタイプの電動ドリルに取付けるように適合されたケーブルカッターであって、第１及び第２の切刃を有し、両切刃に連結されると共に、両切刃を相対的に移動可能に支持するハウジングと、該ハウジング内で回転するように取付けられ、該ハウジングから延在して該ドリル・チャックに解放可能に連結された駆動軸、該駆動軸と共に回転するように取付けられたウォーム、該ハウジング内で回転するように取付けられた主軸、および該主軸と共に回転するように取付けられ該ウォームと係合状態であるウォーム歯車を備える駆動アセンブリとを備え、該ウォーム歯車が該切刃の少なくとも１つと動作可能に係合して該刃を相対的に移動させるケーブルカッターを要旨とする。
【００１５】
請求項１０の発明は請求項９の発明において、前記ハウジングから延在するトルク・アームをさらに備えることを要旨とする。
請求項１１の発明は請求項９の発明において、前記ハウジングに解放可能に連結され、かつ、横方向に延びる取外し可能な安定化ハンドルをさらに備えることを要旨とする。
【００１６】
請求項１２の発明は請求項９の発明において、前記ハウジングの両側に取外し可能に取付けられる安定化ハンドルおよびトルク・アームをさらに備え、該ハンドルおよびトルク・アームのそれぞれが取り外し及び再取付可能であり、よって、該ハウジングの両側において該ハンドル及びトルク・アームの相対位置を逆にすることが可能であることを要旨とする。
【００１７】
請求項１３の発明は請求項９の発明において、安定化ハンドルと、トルク・アームと、前記ハウジングに取付けられ該ハウジングの横方向に延びてスリーブを貫通する中空ボアを有するスリーブと、該中空ボア内に嵌合するサイズであり該トルク・アームに対して着脱可能である締結要素を有するトルク・アーム・クランプとをさらに備え、該安定ハンドルの一端が該中空ボア内に嵌合するサイズであり、該トルク・アーム・クランプに対して着脱可能であることを要旨とする。
【００１８】
請求項１４の発明は請求項９の発明において、前記ハウジングが該ハウジングの入口を画定する切取り部を有し、該切取り部を通って前記刃の少なくとも１つが可動であり、該ハウジングがさらに該ハウジングの該入口の該ハウジングの縁部に隣接するブラシからなることを要旨とする。
【００１９】
請求項１５の発明は請求項９の発明において、前記駆動軸が前記主軸に対して横方向にあることを要旨とする。
請求項１６の発明は請求項９の発明において、前記主軸と共に回転するように取付けられた駆動歯車、および、前記切刃の１つに形成され該駆動歯車と係合状態のセグメント歯車をさらに備えることを要旨とする。
【００２０】
請求項１７の発明は請求項９の発明において、少なくとも３つの軸受が前記主軸を支持し、各軸受が別々の長手方向の位置で該主軸を支持してその回転運動を可能にすることを要旨とする。
【００２１】
請求項１８の発明は、ハウジングと、該ハウジングに連結され、少なくとも一方が他方に対して移動可能な第１および第２の切刃と、該ハウジング内で回転するように取付けられた主軸を備え、該切刃の少なくとも一方と動作可能に係合して該切刃を相対的に移動させる駆動アセンブリと、前記ハウジング内に取付けられ、前記主軸の長さに沿った別々の位置でその主軸をそれぞれ支持する少なくとも３つの軸受とを備えるケーブルカッターを要旨とする。
【００２２】
請求項１９の発明は請求項１８の発明において、前記主軸の各端部が第１および第２の軸受によって支持され、該第１および第２の軸受の中間にある第３の軸受がさらに該主軸を支持することを要旨とする。
【発明を実施するための最良の形態】
【００２３】
本発明のケーブルカッターを、図１において全般的に１０で示す。このカッターは、標準の手持型電動ドリル１２に取外し可能に係合するようになっている。ドリルは、通常のチャック１４およびハンドル１６を備える。電池パック１５をハンドルの底部に取付けることが可能である。説明のため、図１ではカッターの前部がドリル１２に面する部分であると考える。したがって、カッターの右側はカバー２０の側であり、カッターの左側は端面キャップ２２の側である。これは、ケーブルカッターを操作する際に、ユーザが最も一般的に見る方向である。したがって、本明細書では、横方向は左右に沿った方向を指し、長手方向は前後に沿った、すなわち駆動軸３６の軸線に平行な方向を指す。
【００２４】
図１のケーブルカッターの主な構成要素の説明を続けると、全般的に１７で示した主本体またはエンクロージャがある。このエンクロージャは、ウォーム・ハウジング１８、ウォーム・カバー２０、および端面キャップ２２を備える。駆動アセンブリ２４は、大部分がエンクロージャ１７内に存在しており、図１では駆動軸３６だけが見える。切刃アセンブリは、第１または固定切刃２６、および第２または可動切刃２８を備える。反転可能な安定化ハンドル３０は、ウォーム・ハウジング１８上のスリーブ４０に連結可能である。このハンドルは、トルク・アームのクランプ３２によって定位置に保持される。トルク・アーム３４は、トルク・アーム・クランプのボアを通って嵌合する第１の端部５６を有する。トルク・アームは、取付要素がその上に形成された第２の端部をさらに備える。図で示した実施形態では、取付要素は、電池パック１５のすぐ上でドリル・ハンドル１６の周囲に嵌合するフック５８の形状を有している。
【００２５】
トルク・アーム・クランプ３２のさらなる詳細を図１２〜１４に示す。このクランプは、本体内に形成され内部にねじを付けたボア４８を持つ円筒形の本体５０を有する。ヘッド５２は、本体５０の一端に取付けられている。十字穴５４は、ヘッド５２を貫通して延びる。この十字穴は、トルク・アーム３４の第１の端部５６およびシャンクを受けるサイズである。十字穴の位置は、図１４で最も良く見えるように、ヘッド５２と本体５０の交差部を横切って延びるように位置付けられていることも留意されたい。また図１に戻ると、本体５０の外径は、本体５０がスリーブ４０を貫通して形成されたボア４２内に固く、しかし摺動可能に嵌合し得る大きさである。安定化ハンドル３０はその一端に、外側にねじを付けた突起部４４を有する。突起部４４の外径は、突起部４４がトルク・アーム・クランプ内のボア４８とねじで係合可能になる大きさである。
【００２６】
次にエンクロージャ１７の構成に注目し、ウォーム・ハウジング１８の詳細を図８に示す。ウォーム・ハウジングは、中心開口９６を持つほぼ円形の主プレート９４を有する。この開口は、横方向の軸線７２を画定する。６つのねじ受穴１００が開口９６の周囲に形成されている。主プレート９４の頂部は、ほぼ半円筒形の上部壁９２と組み合わされている。上部壁は、長手方向の軸線７０を有するウォームを受承する空間５９を画定する。上部壁のネック付き下方部分６５は、以下で説明するように、スラスト軸受と係合可能である。横方向に延びる弓形の外壁９３は、主プレート９４の周囲に形成され、上部壁９２と組み合わされている。スリーブ４０は外壁９３に取付けられている。複数のねじ受穴９８は外壁内に形成されている。外壁９３及び主プレート９４は共に歯車受け室９０を画定する。
【００２７】
図３〜６で示したように、歯車受け室９０は、ウォーム・カバー２０によって右側を閉鎖されている。このカバーは、そのカバーと係合して外壁９３のねじ受穴９８内にねじ込まれるねじまたは同様のもので、定位置に保持される。こうしたねじの１つを図４で見ることが可能である。図４は、カバー２０が、カウンタボアをカバー２０内にて横方向の軸線７２を中心として形成し得るように、十分な厚さを有することも示す。
【００２８】
図２〜６は端面キャップ２２も示す。端面キャップはねじ穴２５を有する。このねじ穴２５は、端面キャップを固定切刃２６に取付けることを可能にし、固定切刃２６はウォーム・ハウジング１８の主プレート９４に締結される。端面キャップは、中心カウンタボア２１（図４）を有する円板状の部材である。円板の一部は、２３（図３および６）で見ることが可能な切取り部である。ブラシ１１８は、切取り部分で端面キャップに取付けられている。図１５〜１７に示すように、ブラシは、取付穴１２２を有する弓形ベース・プレート１１９を備える。ねじ（図示せず）は、ベース・プレート１１９を端面キャップ２２の内面に取付ける。ベース・プレートは、複数の弓形に構成された剛毛１２０を担持する。ベース・プレートは、好ましくはプラスチックで形成され、図１８〜１９に示したように、金属製擦り板１２４がブラシに取付けられている。擦り板の詳細を図１０および１１に示す。擦り板１２４は、突出するタブ１２５、および一側部に弓形凹部を備えた主部分を有する。取付穴１２６は、擦り板１２４を端面キャップに取付け可能にする。擦り板は、移動する切刃２８の左方向に突き出る動きを吸収し、ブラシまたは端面キャップの磨耗を防ぐものである。
【００２９】
切刃アセンブリを図９に示す。第１または固定切刃２６は、中心アパーチャ１０９が貫通した円形ベース１０６を有する。ボルト穴１０８は、端面キャップからボルトまたは同様のものを受けて、端面キャップ２２を固定切刃２６に固定する。さらに、ねじ穴１１１は、平頭ねじ（図示せず）によって固定切刃２６を主プレート９４内の穴１００に取付けることを可能にする。切刃２６が主プレート９４に取付けられた場合、アパーチャ１０９はプレート９４の中心開口９６と位置合せされる。固定切刃２６はさらに、ベース１０６から延在するアーム１０４を備える。枢軸開口はアームの端部付近に形成される。鋭利な刃先１０５はアーム１０４の内縁部上に形成される。
【００３０】
第２または可動切刃２８は、切刃２８の本体１１０の外縁部に沿って形成された弓形のセグメント歯車１１２を有する。刃先１１３は、本体の内縁部に沿って形成される。セグメント歯車は、前部および後部歯車案内部１１４および１１６で終端する。歯車案内部は、セグメント歯車に交換可能に取付けられている。これらは、以下に説明するように、セグメント歯車１１２が駆動歯車と噛合するように案内する働きをする。セグメント歯車は、駆動歯車との噛合を完全に解除するように駆動可能であるため、２つの歯車を再び噛合わせると、瞬間に衝突して第１の歯を磨耗する可能性がある。この歯車案内部は、可動切刃全体を交換せずに、磨耗した最初の歯を交換することを可能にする。可動切刃は、枢軸開口がその端部付近に形成された延長部１１７を備える。この開口は、アーム１０４内の対応する開口と位置合せされる。枢軸１０２は、アーム１０４と延長部１１７とを接合して、可動切刃が枢軸１０２の周りを回転することを可能にする。
【００３１】
可動切刃の回転は、駆動アセンブリ２４によって行われる。駆動アセンブリを図７に示す。駆動アセンブリは、ウォーム６４、ウォーム歯車６８、および駆動歯車８８を備える。ウォーム６４は駆動軸３６上に固定して取付けられている。軸受６０および６２は、ウォームを受ける空間５９内に取付けられている。スラスト軸受６６（図６）はウォーム６４およびハウジング１８のネック付き下方部分６５と衝合する。ウォーム歯車６８は、駆動歯車８８と同様に主軸７４上に固定して取付けられている。ウォーム歯車は、歯車受け室９０内に配置されている。ウォーム６４のねじは、ウォーム歯車６８の歯６９と係合する。図４に最も良く示すように、主軸７４は、３つの半径方向の軸受、すなわち第１及び第２の端部軸受７６、７８、と中央軸受８０とによって支持される。３つの軸受は主軸の荷重を支持するために必要とされる。端部軸受７６は、ウォーム・カバー２０のカウンタボア内で支持される。端部軸受７８は、端面キャップ２２のカウンタボア２１内に支持される。中央軸受８０は、固定切刃２６の中心アパーチャ１０９内に嵌合して支持される。スラスト軸受８６はウォーム歯車６８のハブと固定刃ベース１０６との間に嵌合する。駆動歯車８８は、中央軸受８０と第２の端部軸受７８との間に嵌合する。
【００３２】
ケーブルカッター１０の使用、操作、機能は以下の通りである。先ず、ケーブルカッターを電動ドリル１２に取付ける。チャック１４を十分に開放して、駆動軸３６をチャック内に嵌合させることが可能になるようにする。駆動軸３６の前端部は、平坦部３８（図２および３）を有し、それによって、チャックを閉めた後に、チャックが駆動軸３６と駆動可能に係合することが可能になる。トルク・アーム・クランプ３２は、スリーブ４０のボア４２の一端内に配置される。最も都合よくするには、次いで安定化ハンドル３０の突起部４４をボア４２の他方の端部内に挿入し、クランプ３２のボア４８内に十分ねじ込んで、ハンドル３０およびクランプ３２がスリーブ４０から落下しないようにする。それによって、ハンドルおよびクランプがスリーブ内で横方向に、すなわち左右の方向に移動するのに十分な遊びが残される。次いで、トルク・アーム３４は、前端部５６をトルク・アームの十字穴５４に挿入し、フック５８をドリルのハンドル１６の周囲に巻付ける前後運動によって定位置に配置される。フック５８をハンドル１６の周囲に固く巻付けた状態で、安定化ハンドル３０を回転してトルク・アーム・クランプ３２を十分に固く締める。ハンドル３０を回転させると、そのハンドル３０およびクランプ３２が互いに向かって引き寄せられて、たとえば図で示したように、トルク・アーム３４がスリーブ４０の右側の縁部と係合状態に係止される。このときケーブルカッターを使用する準備が完了する。ケーブルカッターと電動ドリルの係合の解除は、上記の工程を逆にすることによって行われる。
【００３３】
可動切刃２８のセグメント歯車１１２が駆動歯車８８と噛合していない場合は、セグメント歯車１１２を手で押して、前部歯車案内部１１４を駆動歯車８８と係合させる。可動切刃２８は、端面キャップ２２の切取り部分２３の領域内でブラシの剛毛１２０を通過して移動する。ケーブル１３０（図７）は、その切断が望まれる位置にて刃先１０５、１１３の間に配置される。ドリルが順方向に作動させられる。それによって駆動軸３６およびウォーム６４を回転させる。ウォーム６４はウォーム歯車６８を回転させ、それによって主軸７４を回転させる。主軸７４は、ウォーム歯車６８と共に駆動歯車８８を担持している。駆動歯車８８の回転によって、セグメント歯車１１２が回転され、刃先１１３がケーブルを切り、実際にケーブルを２つに切断する。通常この時点でドリルを反転させ、切断すべき次のケーブルを受けるために切刃を開放する。
【００３４】
図１は右利き用の構成を示しており、ユーザは自分の右手を電動ドリルのハンドル１６に置き、左手を安定化ハンドル３０に置くことが可能であるが、ハンドル３０は左利きの配置にも反転可能である。左利き用の構成は、ねじを緩めることにより、ハンドル３０をトルク・アーム・クランプ３２から取り外し、スリーブ４０に対してその位置を逆にすることによって達成可能である。左利き用の配置では、トルク・アーム３４をスリーブ４０の左側縁部と係合した状態にロックされる。トルク・アーム３４は反転され、図で示したように、トルク・アーム３４のシャンク部分がドリル・ハンドルの右側ではなく左側を越えて延長されるようにする。
【００３５】
本発明の好ましい形態を図で示し、本明細書で説明したが、それには多くの修正、代替、および変更が可能であることを理解されたい。たとえば、トルク・アーム上の取付要素は、面ファスナ（たとえば、ベルクロ（Ｖｅｌｃｒｏ（登録商標））、ベルクロ工業（Ｖｅｌｃｒｏ  Ｉｎｄｕｓｔｒｉｅｓ），Ｂ．Ｖ．の商標）、またはオーバーセンター・ラッチ付きバックルなど、異なる形態でもよい。
【図面の簡単な説明】
【００３６】
【図１】ケーブルカッターおよび手持型電動ドリルを示す分解斜視図。
【図２】図を見やすくするためにトルク・アームを取り除いた、本発明のケーブルカッターを示す左側立面図。
【図３】ケーブルカッターを示す上面図。
【図４】図２の４−４線に沿った断面図。
【図５】ケーブルカッターを示す正面図。
【図６】図５の６−６線に沿った断面図。
【図７】駆動列の部品の関係を明らかにするためにハウジングの一部を取り除いた駆動アセンブリを示す左側面立面図。
【図８】ウォーム・ハウジングを示す左側面図。
【図９】図２で示した位置から約９０°回転させた切刃を示す端面図。
【図１０】擦り板を示す立面図。
【図１１】図１１の擦り板を示す斜視図。
【図１２】トルク・アーム・クランプを示す平面図。
【図１３】トルク・アーム・クランプを示す斜視図。
【図１４】トルク・アーム・クランプを示す側面図。
【図１５】ブラシを示す正面図。
【図１６】ブラシを示す斜視図。
【図１７】ブラシを示す側面図。
【図１８】図３の１８−１８線に沿った断面図。
【図１９】図１８の部分側面図。
【符号の説明】
【００３７】
１０…ケーブルカッター、１２…電動ドリル、１４…チャック、１８…ハウジング、２４…駆動アセンブリ、３０…安定化ハンドル、３２…トルク・アーム・クランプ、３４…トルク・アーム、３６…駆動軸、４０…スリーブ、４２，４８…ボア、５４…締結要素としての十字穴、５８…フック、６０…軸受、６４…ウォーム、６８…ウォーム歯車、７４…主軸、８８…駆動歯車、１０４…アーム、１１２…セグメント歯車、１１８…ブラシ。
【図１】
2005125486.tif 000003
【図２】
2005125486.tif 000004
【図３】
2005125486.tif 000005
【図４】
2005125486.tif 000006
【図５】
2005125486.tif 000007
【図６】
2005125486.tif 000008
【図７】
2005125486.tif 000009
【図８】
2005125486.tif 000010
【図９】
2005125486.tif 000011
【図１０】
2005125486.tif 000012
【図１１】
2005125486.tif 000013
【図１２】
2005125486.tif 000014
【図１３】
2005125486.tif 000015
【図１４】
2005125486.tif 000016
【図１５】
2005125486.tif 000017
【図１６】
2005125486.tif 000018
【図１７】
2005125486.tif 000019
【図１８】
2005125486.tif 000020
【図１９】
2005125486.tif 000021